(57)【要約】【課題】  ＩＰ電話で、通話前に、通話用件を着信者に通知することを目的とする。【解決手段】  本発明による通信装置は、リアルタイム通信を行う通信装置であり、通信接続及び通信を行うインターネット通信部１１と、操作指示情報を取り込む入力部１６と、入力部１６の処理を反映させて表示部１８に表示させる画面制御部１５と、画面制御部１５に対して、メッセージを入力するメッセージ入力画面の表示要求を行うメッセージ制御部１４と、オフフック状態であることを検出するオフフック検出部１３とを備え、画面制御部１５は、表示要求により表示部１８にメッセージ入力画面を表示させ、メッセージ入力画面において入力部１６はメッセージを含む操作指示情報を取り込み、さらに入力部１６により通信接続を要求する操作指示情報が取り込まれると、インターネット通信部１１はメッセージを付加して通信接続を行う。【選択図】  図２
2006074507.tif 000002
【特許請求の範囲】
【請求項１】
通信ネットワークを介して相手通信装置とリアルタイム通信を行う通信装置であって、
相手通信装置に対して通信接続及び通信を行う通信手段と、
操作指示情報を取り込む入力手段と、
前記入力手段の処理を反映させて可視表示手段に表示させる画面制御手段と、
前記画面制御手段に対して、通知メッセージを入力する入力画面の表示要求を行うメッセージ制御手段と、
前記通信接続が可能な状態であることを検出する状態検出部とを備え、
前記画面制御手段は、前記表示要求により前記可視表示手段に前記入力画面を表示させ、
前記入力画面において、前記入力手段は通知メッセージを含む操作指示情報を取り込み、
前記入力手段により前記通信接続を要求する操作指示情報が取り込まれると、前記通信制御手段は前記通知メッセージを付加して通信接続を行うこと
を特徴とする通信装置。
【請求項２】
請求項１記載の通信装置において、
前記相手通信装置から受信メッセージが付加された通信接続が行われるとき、前記メッセージ制御手段は前記受信メッセージを抽出して前記画面制御手段に送信し、
前記画面制御手段は、リアルタイム通信が接続される前に前記受信メッセージを前記可視表示手段に表示させること
を特徴とする通信装置。
【請求項３】
通信ネットワークを介して第１の通信装置と第２の通信装置間でリアルタイム通信を行う通信方法であって、
第１の通信装置に対して、
第２の通信装置への通信接続が可能な状態であることを検出させ、
通知メッセージを入力するメッセージ入力画面を可視表示手段に表示させ、
前記第１の通信装置の入力手段に入力された通知メッセージを取り込ませ、
前記入力手段に通信接続を行う操作指示情報を取り込ませて、前記通知メッセージを付加して通信接続を行わせること、
を特徴とする通信方法。
【請求項４】
請求項３記載の通信方法であって、
前記第１の通信装置に対して、
前記第２の通信装置から受信メッセージが付加された通信接続が行われるとき、
前記受信メッセージを抽出させ、
リアルタイム通信が接続される前に前記受信メッセージを前記可視表示手段に表示させること
を特徴とする通信方法。
【請求項５】
通信ネットワークと前記通信ネットワークを介してリアルタイム通信を行う第１の通信装置及び第２の通信装置とを有する通信ネットワークシステムであって、
前記第１の通信装置は、第２の通信装置に対して通信接続及び通信を行う第１の通信手段と、操作指示情報を取り込む入力手段と、前記入力手段の処理を反映させて第１の可視表示手段に表示させる第１の画面制御手段と、前記第１の画面制御手段に対して、メッセージを入力するメッセージ入力画面の表示要求を行う第１のメッセージ制御手段と、前記通信接続が可能な状態であることを検出する状態検出部とを備え、前記第１の画面制御手段は、前記表示要求により前記第１の可視表示手段に前記メッセージ入力画面を表示させ、前記入力画面において前記入力手段はメッセージを含む操作指示情報を取り込み、前記入力手段により前記通信接続を要求する操作指示情報が取り込まれると、前記第１の通信手段は前記メッセージを付加して通信接続を行い、
前記第２の通信装置は、前記通信接続が行われるとき、前記通信接続に付加された前記メッセージを抽出する第２のメッセージ制御手段と、前記第２のメッセージ制御手段により抽出された前記メッセージを第２の可視表示手段に表示させる第２の画面制御部とを備え、
前記第２の画面制御部は、リアルタイム通信が接続される前に前記メッセージを前記第２の可視表示手段に表示させること
を特徴とする通信ネットワークシステム。
【発明の詳細な説明】
【技術分野】
【０００１】
この発明は、インターネット等の通信網を利用したサービスを提供する通信装置、通信方法、及び通信ネットワークシステムにおいて、より効率的なコミュニケーションを可能とするサービスを提供する通信装置、通信方法、及び通信ネットワークシステムに関するものである。
【背景技術】
【０００２】
従来、電話などのリアルタイムコミュニケーションでは、通話などのコミュニケーション実行前に、ナンバーディスプレイ機能等によって発信者の電話番号、もしくは発信者名が受信者側の電話機の表示部に表示されることによって、受信者はその発信者の電話番号または発信者名を知ることができた。
また、下記の特許文献１には、公衆電話網だけでなく、インターネット網を介した場合でも、ナンバーディスプレイ機能を利用できることが示されている。
【特許文献１】特開２００３−２５８９８６号公報
【発明の開示】
【発明が解決しようとする課題】
【０００３】
しかしながら、上述したナンバーディスプレイ機能等では、通話前に、発信者の電話番号や発信者名を受信者に通知することはできるが、通話用件やその通話の重要度を通知することができなかった。よって受信者は、通話前に通話用件やその通話の重要度を知ることができず、実際に通話をしてからでなければ、通話用件やその通話の緊急度合いや重要度を知ることができないという課題があった。
【０００４】
これにより、例えば、緊急の電話が掛かってきた場合に、丁度顧客との商談中であったために電話に出ることができず、折角のビジネスチャンスを逃してしまうという問題が起こり得る。
そこで本発明では、電話などのリアルタイムコミュニケーションについて、通話前に、通話用件やその通話の緊急度合いや重要度を受信者に知らせることを目的とする。
【課題を解決するための手段】
【０００５】
かかる課題を解決するため、本発明による通信装置は、通信ネットワークを介して相手通信装置とリアルタイム通信を行う通信装置であって、相手通信装置に対して通信接続及び通信を行う通信手段と、操作指示情報を取り込む入力手段と、入力手段の処理を反映させて可視表示手段に表示させる画面制御手段と、画面制御手段に対して、通知メッセージを入力する入力画面の表示要求を行うメッセージ制御手段と、通信接続が可能な状態であることを検出する状態検出部とを備え、画面制御手段は、表示要求により可視表示手段に入力画面を表示させ、入力画面において、入力手段は通知メッセージを含む操作指示情報を取り込み、入力手段により通信接続を要求する操作指示情報が取り込まれると、通信制御手段は通知メッセージを付加して通信接続を行うことを特徴とする。
【０００６】
また、本発明による通信方法は、通信ネットワークを介して第１の通信装置と第２の通信装置間でリアルタイム通信を行う通信方法であって、第１の通信装置に対して、第２の通信装置への通信接続が可能な状態であることを検出させ、通知メッセージを入力するメッセージ入力画面を可視表示手段に表示させ、第１の通信装置の入力手段に入力された通知メッセージを取り込ませ、入力手段に通信接続を行う操作指示情報を取り込ませ、通知メッセージを付加して通信接続を行わせることを特徴とする。
【０００７】
また、本発明による通信ネットワークシステムは、通信ネットワークと通信ネットワークを介してリアルタイム通信を行う第１の通信装置及び第２の通信装置とを有する通信ネットワークシステムであって、第１の通信装置は、第２の通信装置に対して通信接続及び通信を行う第１の通信制御手段と、操作指示情報を取り込む入力手段と、入力手段の処理を反映させて第１の可視表示手段に表示させる第１の画面制御手段と、第１の画面制御手段に対して、メッセージを入力するメッセージ入力画面の表示要求を行う第１のメッセージ制御手段と、通信接続が可能な状態であることを検出する状態検出部とを備え、第１の画面制御手段は、表示要求により第１の可視表示手段にメッセージ入力画面を表示させ、入力画面において入力手段はメッセージを含む操作指示情報を取り込み、入力手段により通信接続を要求する操作指示情報が取り込まれると、第１の通信手段はメッセージを付加して通信接続を行い、第２の通信装置は、通信接続が行われるとき、通信接続に付加されたメッセージを抽出する第２のメッセージ制御手段と、第２のメッセージ制御手段により抽出されたメッセージを第２の可視表示手段に表示させる第２の画面制御部とを備え、第２の画面制御部は、リアルタイム通信が接続される前にメッセージを第２の可視表示手段に表示させることを特徴とする。
【発明の効果】
【０００８】
発明の効果として、本発明の通信装置、通信方法、及び通信ネットワークシステムによれば、電話などのリアルタイムコミュニケーションにおいて、電話を掛けるときに発信側の通信装置で用件等のメッセージ情報を付加して発信し、受信側の通信装置の表示部に用件等のメッセージを表示させることによって、通話前に、受信者が用件を知り、通話の緊急度や重要度を把握することが可能となり、より効率的なコミュニケーションを実現することができる。
【発明を実施するための最良の形態】
【０００９】
本発明による通信装置、通信方法及び通信ネットワークシステムは、ＩＰ電話などの電話発信をするときに、発信側の通信装置において通知メッセージを付加して接続要求を行い、受信側の通信装置において電話着信を通知させるとともに、通知メッセージを表示させるようにする。
【実施例１】
【００１０】
以下、本発明による通信装置、通信方法、及び通信ネットワークシステムの実施例１は、図１〜図７を用いて説明される。図１は本発明のインターネット環境におけるシステム構成を示す図である。図２は本発明の通信装置の機能ブロック構成を示す図である。図３は本発明の通信装置の通信接続動作を示すシーケンス図である。図４は本発明の通信装置の発信動作を示すフローチャート図である。図５は本発明の通信装置のメッセージ入力画面を示す図である。図６は本発明の通信装置の着信動作を示すフローチャート図である。図７は本発明の通信装置のメッセージ受信画面を示す図である。
【００１１】
まず図１及び図２を用いて、本発明による実施例１の通信装置、通信ネットワークシステムの構成が説明される。また、実施例１において本発明による通信装置は、通信端末として説明される。
図１において、通信端末１ａ及び通信端末１ｂは、インターネット２を介して接続されている。通信端末１ａ及び通信端末１ｂは、リアルタイム通信であるＶｏＩＰ（Voice over Internet Protocol）通信用のアプリケーションソフトウェア（ソフトフォン）がインストールされたＰＣ（Personal Computer）等である。また、ＶｏＩＰ通信はＩＰ（Internet Protocol）電話とも呼ばれる。よって、通信端末１ａ及び通信端末１ｂは、インターネット２を介して、各々のコンピュータ上で動作するソフトフォンにより通話をすることができる。また通信端末１ａ及び通信端末１ｂは、ＬＡＮ（Local Area Network）３に接続されているが、インターネット２を介さずに、同一のＬＡＮ３上に存在して、通信を行う構成としてもよい。
【００１２】
図２において、通信端末１ａの各機能ブロックの構成が説明される。また通信端末１ｂの各機能ブロックについては、通信端末１ａの各機能ブロックの構成と同様であるため、説明を省略する。通信端末１ａは、インターネット通信部１１、通信制御部１２、オフフック検出部１３、メッセージ制御部１４、画面制御部１５、入力部１６、メッセージ格納部１７から構成される。そして、通信端末１ａには、表示部１８、送受話部１９が接続されているが、通信端末１ａは表示部１８、送受話部１９を含んでいてもよい。
【００１３】
インターネット通信部１１は、インターネット２とのインタフェースを制御し、ＶｏＩＰ通信に必要な処理機能を有する。具体的には、インターネット通信部１１は、通信相手である通信端末１ｂとＶｏＩＰ通信を行うときの呼制御処理を行う機能や、通信端末１ｂから送信された通知メッセージを、インターネット２を介して受信メッセージとして受信する機能や、通信端末１ａで作成された通知メッセージや発信者を示す情報を付加して電話発信する機能、インターネット２との物理的な信号制御を行う機能などを有する。発信者を示す情報は、予め登録しておいた発信者の名前や、使用されている通信端末１ａの電話番号などである。また、インターネット２上に通信接続の管理機能を有する呼制御処理装置を設け、呼制御処理装置に、呼制御処理の一部を行わせてもよい。さらに、インターネット通信部１１は、送受話部１９に対して音声の送受信を行う。
【００１４】
オフフック検出部１３は、通信端末１ａが通信端末１ｂに対して、ＶｏＩＰ通信の接続要求が可能な状態であるオフフック状態を検出し、オフフック状態であるときには、そのオフフック状態であることをメッセージ制御部１４に通知する。オフフック状態については、例えば、入力部１６により、表示部１８の図示されない画面上にあるオフフックボタンをクリックすることによって、オフフック状態にすることが可能である。オフフック状態は電話発信が可能な状態である。
【００１５】
メッセージ制御部１４は、オフフック検出部１３からオフフック状態であることが通知されると、画面制御部１５に対して、通知メッセージを入力するためのメッセージ入力画面を表示部１８に表示させるように表示要求を通知する。また、メッセージ制御部１４はメッセージ入力画面にて入力部１６により入力された通知メッセージ、あるいは通知メッセージなしの情報をインターネット通信部１１に通知する。主に通知メッセージとしては、電話で話したい用件や緊急度や重要度を示す情報が入力される。通知メッセージとは、電子メールで言うところの件名に該当する。さらに、メッセージ制御部１４は、通信端末１ｂからの通信メッセージ、あるいは通知メッセージなしの情報を受信メッセージとして受信した場合には、画面制御部１５に対して、この受信メッセージを表示させるように表示要求を通知する。また、通知メッセージなしの情報については、その情報自体を付加しないようにしてもよい。
【００１６】
画面制御部１５は、通信制御部１２、メッセージ制御部１４、入力部１６から送られる処理結果等により、表示部１８を制御する。例えば、画面制御部１５は、通信制御部１２によりインターネット通信部１１が受信した着信等の情報を受信し、表示部１８に着信があったことを表示させるなど、受信した情報により表示部１８を制御する。また、画面制御部１５は、メッセージ制御部１４から表示要求を受信した場合は、表示部１８にメッセージ入力画面を表示させたり、表示部１８に通信端末１ｂからの受信メッセージを表示させるように制御する。さらに、画面制御部１５は、発信者が入力部１６を操作することにより取り込まれた情報を反映させて、表示部１８を制御する。
【００１７】
入力部１６は、マウスやキーボード、ペン入力装置等であり、発信者により入力を行って、入力された情報を取り込む。また、入力部１６は、タッチパネル入力装置等の入力手段でもよい。入力された情報は、通信端末１ａを操作するための操作指示情報や、通信端末１ｂに送信するための通知メッセージや、通話相手の名前や電話番号などの通話相手先を示す情報である。着信に応答する場合や通話を切断する場合も、この入力部１６によって行われる。またＳＩＰ（Session Initiation Protocol）対応の通信装置であれば、通話相手先を示す情報は、ＵＲＩ（Uniform Resource Identifier）でもよい。
【００１８】
メッセージ格納部１７は、メッセージ入力画面において入力する通知メッセージが予め登録された登録メッセージを格納している。そして、メッセージ入力画面の表示要求を行う際に、登録メッセージをメッセージ制御部１４に通知する。メッセージ格納部１７は設けなくてもよいが、メッセージ格納部１７を設けて、頻繁に使用するような通知メッセージを予め登録しておくことによって、通知メッセージを作成する時間を短縮することができる。
【００１９】
表示部１８は、ディスプレイ等の可視表示手段であり、画面制御部１５によって制御されており、メッセージ入力画面を表示させたり、通信端末１ｂから受信した受信メッセージを表示させる。
【００２０】
送受話部１９は、マイク及びスピーカーを有し、通話者の音声の入出力を行う。
【００２１】
通信制御部１２は、インターネット通信部１１、オフフック検出部１３、メッセージ制御部１４、画面制御部１５、送受話部１９とのインタフェースを制御する。具体的には、インターネット通信部１１から、オフフック検出部１３がオフフック状態を検出するときの制御を行ったり、インターネット通信部１１が受信した着信等の情報を、画面制御部１５に通知させるための制御を行ったり、インターネット通信部１１が受信した受信メッセージを、メッセージ制御部１４に通知するための制御を行ったり、入力部１６によって入力された通知メッセージ等をメッセージ制御部１４からインターネット通信部１１へ通知するための制御を行う。また、入力部１６により取り込まれた操作指示情報を、画面制御部１５からインターネット通信部１１に通知するための制御を行う。さらに、送受話部１９とインターネット通信部１１との音声の送受信ための制御を行う。
【００２２】
次に、図３〜図７を用いて、通信端末１ａと通信端末１ｂとの通信動作が説明される。
図３において、まず発信者が通信端末１ａにおいて、入力部１６により表示部１８の画面上のオフフックボタンをクリックすることによって、通信端末１ａはオフフック状態になる。そして、発信者は通信端末１ａから通信端末１ｂに対して、通信接続をするためにＬ１のように電話発信を行い、電話発信信号を送信する。このとき、通信端末１ａにおいて、図４に示されるような発信動作が行われる。
【００２３】
図４において、電話発信を行う際に、まずステップＳ４０１に示されるように、通信端末１ａがオフフック状態であるか否かを検出する。オフフック状態でない場合は、オフフック状態を検出するまで待機状態となる。ステップＳ４０１でオフフック状態であることが検出された場合、ステップＳ４０２へと移る。
【００２４】
オフフック状態であることが検出されると、ステップＳ４０２に示されるように、メッセージ入力画面が表示部１８に表示される。例えば、メッセージ入力画面は図５に示されるように表示される。
【００２５】
図５において、メッセージ入力画面５０には、入力部１６によって、通話相手の名前や電話番号を入力する宛先入力欄５１と、入力部１６によって、通知メッセージを入力するメッセージ入力欄５２と、既に登録済みの通知メッセージを入力部１６によりワンクリックで入力可能とするために設けた、第１の登録メッセージボタン５３、第２の登録メッセージボタン５４、第３の登録メッセージボタン５５と、入力部１６によりワンクリックで電話を掛けることが可能な電話発信ボタン５６とがある。第１の登録メッセージボタン５３、第２の登録メッセージボタン５４、第３の登録メッセージボタン５５のように、予め画面上のボタンに登録しておき、ボタンを押下することで通知メッセージが自動入力される。また、宛先入力欄に入力される通話相手の名前は、通信端末１ａに名前と電話番号を対応付けてアドレス帳として持たせておくことによって、アドレス帳から選択されるようにするとよい。
【００２６】
メッセージ入力画面５０が表示部１８に表示されると、通話相手を選択して、図４のステップＳ４０３に示されるように、通知メッセージ設定動作に移る。通知メッセージ設定動作では、例えば、図５に示されるように、入力部１６によって「時間があれば教えて下さい」という通知メッセージが入力される。もちろん、通知メッセージは未入力であってもよい。
【００２７】
次に、ステップＳ４０４に示されるように、電話発信要求を行う。電話発信要求は、電話発信ボタン５６を入力部１６によってクリックすることにより行われる。次にステップＳ４０５へと移る。
【００２８】
ステップＳ４０５では、通知メッセージが入力されている場合は、入力された通知メッセージを付加して電話発信を行う。また、通知メッセージが入力されておらず、未入力状態である場合は、通知メッセージなしの情報を付加して電話発信を行う。そして、ステップＳ４０６に移る。
【００２９】
ステップＳ４０６では、通信端末１ａは、通信端末１ｂ側で通話相手が応答するのを待つ、応答待ち状態となる。
【００３０】
図３において、通信端末１ｂが通信端末１ａから電話発信Ｌ１の着信を受けた場合、通信端末１ｂでは、図６に示されるような着信動作が行われる。
図６において、まずステップＳ６０１に示されるように、通信端末１ａからの電話着信があると、ステップＳ６０２に移る。
【００３１】
ステップＳ６０２では、着信のあった電話発信信号に通知メッセージが付加されていた場合、受信した通知メッセージを受信メッセージとして表示部１８に表示させるとともに、着信通知を行う。図７には、受信メッセージを表示部１８に表示させたメッセージ表示画面７０が示されている。通知メッセージと同様に、電話発信信号に発信者の名前や電話番号が付加されていれば、発信者の名前や電話番号が受信メッセージ表示７２とともに、発信者表示７２として表示部１８に表示される。このとき、通信端末１ｂが通話中の状態であったとしても、発信者の名前や電話番号が受信メッセージ表示７２とともに、発信者表示７２として表示部１８に表示される。
また、着信のあった電話発信信号に、通知メッセージが付加されておらず、通知メッセージなしの情報が付加されている等の場合は、表示部１８に受信メッセージ表示７１を表示させなかったり、メッセージなし等の表示をさせ、着信通知を行う。
そして、着信通知後はステップＳ６０３に移る。
【００３２】
ステップＳ６０３では、通信端末１ａからの着信に対して、電話に応答したか否かを検出する。着信に対して応答しなかった場合、通話が接続されないので、通信端末１ｂの着信動作が終了となる。
【００３３】
ステップＳ６０３において、通信端末１ａからの着信に対して応答した場合、ステップＳ６０４に移る。この着信に応答した動作は図３における応答Ｌ２として通信端末１ｂから通信端末１ａに応答信号が送信される。
【００３４】
ステップＳ６０４では、通信端末１ａと通信端末１ｂとの通話が接続され、通話が開始される。この通話の接続は図３において通話接続Ｌ３として示されている。通話が接続されると、通話者は送受話部１９により、音声の入出力を行うことができる。
【００３５】
その後、ステップＳ６０５に示されるように、通信端末１ａと通信端末１ｂとの通話が切断されることで通話が終了する。この通話の終了は図３において通話終了Ｌ４として示されている。例えば、通信端末１ａがオンフック状態にされることで、通話が切断される。
これにより、通信端末１ｂの着信動作が終了する。
【００３６】
以上のように、通信端末１ｂ側の通話者が電話に出る前に、通信端末１ａ側の通話者が設定した通知メッセージが、受信メッセージとして着信通知とともに通信端末１ｂの表示部１８に表示される。よって、通信端末１ｂの通話者は、表示部１８に表示された受信メッセージの内容から、電話に出る前に電話の用件の概要や緊急度、重要度などを知ることができる。
【００３７】
また、通信端末１ｂの通話者は、受信メッセージの内容から用件の重要度を判断し、電話に出るか出ないかを決定できる。その後、電話に出た場合は通常の電話で通話した場合と同様である。
【００３８】
本実施例では、コンピュータ上のソフトフォン（ＩＰ電話）同士の通話を想定して説明したが、本発明は同様に固定電話、モバイル電話、モバイル端末などといった、コミュニケーションツールにも適用可能である。また本発明は、リアルタイム型通信であれば、音声通話だけでなく、チャットなどの文字コミュニケーションにも応用できる。
【図面の簡単な説明】
【００３９】
【図１】本発明のインターネット環境におけるシステム構成を示す図
【図２】本発明の通信装置の機能ブロック構成を示す図
【図３】本発明の通信装置の通信接続動作を示すシーケンス図
【図４】本発明の通信装置の発信動作を示すフローチャート図
【図５】本発明の通信装置のメッセージ入力画面を示す図
【図６】本発明の通信装置の着信動作を示すフローチャート図
【図７】本発明の通信装置のメッセージ受信画面を示す図
【符号の説明】
【００４０】
１ａ、１ｂ…通信端末、２…インターネット、１１…インターネット通信部、１２…通信制御部、１３…オフフック検出部、１４…メッセージ制御部、１５…画面制御部、１６…入力部、１７…メッセージ格納部、１８…表示部、１９…送受話部
【図１】
2006074507.tif 000003
【図２】
2006074507.tif 000004
【図３】
2006074507.tif 000005
【図４】
2006074507.tif 000006
【図５】
2006074507.tif 000007
【図６】
2006074507.tif 000008
【図７】
2006074507.tif 000009